(57)【要約】【課題】ケース体の着脱作業性の向上を図ることが可能な遊技機の提供を目的とする。【解決手段】本発明のパチンコ遊技機１０によれば、ケース体１２０を遊技板１１の後面に対して回動操作する過程で、機構板７５によって覆われた係止ボックス１６１とケース体１２０の係止フック１６０との係止及び係止解除が行われ、機構板７５を遊技板１１の後面側に取り付けたままでケース体１２０を遊技板１１に対して着脱できるので、例えば、液晶モジュール１００の大型化に応じてケース体１２０を大型化しつつ、ケース体１２０の着脱作業性の向上を図ることができる。【選択図】図１６
2008100104.tif 000002
【特許請求の範囲】
【請求項１】
前面側に遊技領域を有した遊技板と、
前記遊技板に設けられて後方に突出したベース体と、
電気部品を収納し、前記ベース体の後面に重ねた状態に取り付けられたケース体と、
前記遊技板の後面側に取り付けられると共に、前記ケース体の側方に配置された、或いは、前記ケース体の側方を囲んだ遊技機構成部品とを備え、前記ケース体を前記遊技板の後面側から着脱可能とした遊技機において、
前記ケース体には、その一側部から前記遊技板側に向かいかつ前記ベース体の側面に沿って延びた板状の脚部と、前記脚部の先端から前記ベース体より離れる側に直角曲げされたケース体突部とを備えてなるケース体メイン係止部と、前記ケース体メイン係止部と間隔を空けて設けられたケース体サブ係止部とが設けられ、
前記遊技板には、前記遊技機構成部品と前記遊技板の間に配置され、前記ケース体突部を幅方向で挟んで対向した１対の挟持対向壁と、前記１対の挟持対向壁の間に差し渡され、前記ベース体の後面と前記ケース体の前面とが重なった状態で前記ケース体突部の後面に重なる後面係止壁と、前記１対の挟持対向壁から延設されて前記後面係止壁より前記ベース体側に延び、前記１対の挟持対向壁の間に前記ケース体突部を案内する１対のガイド対向壁と、前記１対のガイド対向壁のうち前記ベース体側の端部間に差し渡された補強ガイド壁と、前記補強ガイド壁と前記１対のガイド対向壁と前記後面係止壁とに囲まれて後方に開放したボックス開口とを有してなるボックス形係止部が設けられ、
前記ボックス開口は、前記ベース体の後面と前記ケース体の前面とを平行にした状態で前記ケース体突部の通過を禁止し、前記ベース体の後面に対して前記ケース体の前面を斜めにした状態で前記ケース体突部の通過を許容する大きさにされ、
前記ベース体には、その後面に前記ケース体の前面を重ねた状態で前記ケース体の前面より後方に膨出した膨出部と、前記膨出部の後面に設けられ、前記ケース体サブ係止部と前後方向で凹凸嵌合して前記前後方向と直交する方向への前記ケース体の移動を規制した露出係止部とが備えられたことを特徴とする遊技機。
【請求項２】
前記ベース体のうち前記膨出部の内側には、遊技機に備えた可動部を駆動するための駆動源が収納されたことを特徴とする請求項１に記載の遊技機。
【発明の詳細な説明】
【技術分野】
【０００１】
本発明は、前面側に遊技領域を有した遊技板と、遊技板の後面側に取り付けられ、電気部品を収納したケース体と、遊技板の後面側に取り付けられると共に、ケース体の側方に配置された、或いは、ケース体の側方を囲んだ遊技機構成部品とを備え、ケース体を遊技板の後面側から着脱可能とした遊技機に関する。
【背景技術】
【０００２】
従来、この種の遊技機において、ケース体は遊技板の後面側に螺子止めされていた（例えば、特許文献１参照）。
【特許文献１】特開２００２−８５４号公報（段落［００２１］、図６）
【発明の開示】
【発明が解決しようとする課題】
【０００３】
ところで、近年、電気部品の大型化に伴ってケース体が大型化し、図２０に示すように、ケース体１の螺子止め部分３の後面側が、遊技機構成部品４によって覆われる場合があった。このような場合、ケース体１を遊技板２に対して着脱するには、遊技機構成部品４を取り外す必要があり、ケース体１の着脱作業性が悪いという問題があった。
【０００４】
本発明は、上記事情に鑑みてなされたもので、ケース体の着脱作業性の向上を図ることが可能な遊技機の提供を目的とする。
【課題を解決するための手段】
【０００５】
上記目的を達成するためになされた請求項１の発明に係る遊技機は、前面側に遊技領域を有した遊技板と、遊技板に設けられて後方に突出したベース体と、電気部品を収納し、ベース体の後面に重ねた状態に取り付けられたケース体と、遊技板の後面側に取り付けられると共に、ケース体の側方に配置された、或いは、ケース体の側方を囲んだ遊技機構成部品とを備え、ケース体を遊技板の後面側から着脱可能とした遊技機において、ケース体には、その一側部から遊技板側に向かいかつベース体の側面に沿って延びた板状の脚部と、脚部の先端からベース体より離れる側に直角曲げされたケース体突部とを備えてなるケース体メイン係止部と、ケース体メイン係止部と間隔を空けて設けられたケース体サブ係止部とが設けられ、遊技板には、遊技機構成部品と遊技板の間に配置され、ケース体突部を幅方向で挟んで対向した１対の挟持対向壁と、１対の挟持対向壁の間に差し渡され、ベース体の後面とケース体の前面とが重なった状態でケース体突部の後面に重なる後面係止壁と、１対の挟持対向壁から延設されて後面係止壁よりベース体側に延び、１対の挟持対向壁の間にケース体突部を案内する１対のガイド対向壁と、１対のガイド対向壁のうちベース体側の端部間に差し渡された補強ガイド壁と、補強ガイド壁と１対のガイド対向壁と後面係止壁とに囲まれて後方に開放したボックス開口とを有してなるボックス形係止部が設けられ、遊技機構成部品は、ボックス形係止部のうち後面係止壁を後方から覆う一方、ボックス開口を後方側に露出するように配置され、ボックス開口は、ベース体の後面とケース体の前面とを平行にした状態でケース体突部の通過を禁止し、ベース体の後面に対してケース体の前面を斜めにした状態でケース体突部の通過を許容する大きさにされ、ベース体には、その後面にケース体の前面を重ねた状態でケース体の前面より後方に膨出した膨出部と、膨出部の後面に設けられ、ケース体サブ係止部と前後方向で凹凸嵌合して前後方向と直交する方向へのケース体の移動を規制した露出係止部とが備えられたところに特徴を有する。
【０００６】
請求項２の発明は、請求項１に記載の遊技機において、ベース体のうち膨出部の内側には、遊技機に備えた可動部を駆動するための駆動源が収納されたところに特徴を有する。
【発明の効果】
【０００７】
［請求項１の発明］
請求項１の遊技機においてケース体を遊技板の後面側から取り外す場合には、まず、ケース体の一側部側を中心にしてケース体を回動操作し、ベース体の後面に対してケース体の前面を斜めにした状態とする。すると、ケース体メイン係止部のケース体突部と、ボックス形係止部の後面係止壁との係止が解除される。そして、ケース体を斜めにした状態のまま後方へ移動させると、ケース体突部がボックス開口から抜けて、ケース体が遊技盤の後面側から取り外される。
【０００８】
これに対し、ケース体を遊技板の後面側に取り付ける場合には、まず、ベース体の後面に対してケース体の前面を斜めにした状態にして、ケース体を遊技板の後面側から近づけ、後方に開放したボックス開口にケース体突部を挿入する。次に、ベース体の後面とケース体の前面とが平行になるように、ケース体の一側部側を中心としてケース体を回動操作する。すると、ケース体突部が１対の挟持対向壁の間に進入し、ケース体がベース体の後面に重なった状態になると、ケース体突部の後面に後面係止壁が重なってそれらが係止される。
【０００９】
このように、後面係止壁の後面側を覆う遊技機構成部品を遊技板の後面側に取り付けたままでケース体を遊技板に対して着脱できるので、ケース体の着脱作業性の向上を図ることができる。
【００１０】
また、本発明によれば、ケース体を遊技板の後面側から近づけてケース体メイン係止部の脚部を１対のガイド対向壁の間に進入させると、これらガイド対向壁によって、脚部の先端に備えたケース体突部が、１対の挟持対向壁の間に案内される。これにより、ケース体を遊技板に取り付ける際に、ケース体メイン係止部を容易かつ確実にボックス形係止部に係止させることができる。また、補強ガイド壁によって１対のガイド対向壁を補強することができる。
【００１１】
また、露出係止部は、ケース体サブ係止部と前後方向で凹凸嵌合して前後方向と直交する方向へのケース体の移動を規制するので、ケース体がベース体の後面において前後方向と直交する方向へ移動して、ケース体突部と後面係止壁とがずらされ、それらの係止状態が解除されることを防ぐことができる。
【００１２】
［請求項２の発明］
請求項２の発明によれば、ベース体のうち膨出部の内側に駆動源を収納したので、駆動源を収納する部材をベース体とは別に設けた場合に比較して部品点数を削減することができ、ベース体を有効利用することができる。
【発明を実施するための最良の形態】
【００１３】
以下、本発明を適用したパチンコ遊技機１０に係る一実施形態を、図１〜図１８に基づいて説明する。本実施形態のパチンコ遊技機１０は、図３に示すように、遊技場の遊技島に取り付けられる枠体８０と、枠体８０から脱着可能な遊技機本体８１とに区分することができる。まずは、枠体８０について説明すると以下の通りである。枠体８０は、例えば、ボルトによって遊技島に固定された外枠８２に前面枠９０を回動可能に備えてなる。外枠８２は、４つの木製の長板８３を縦長矩形状に接合して構成されており、外枠８２のうち両側辺を構成する長板８３の下端部の間には、前面板８４が差し渡され、その前面板８４の下縁部が、下辺を構成する長板８３に接合されている。
【００１４】
外枠８２のうち一方の側辺には、その上下の２箇所に、金属製のヒンジ片８５，８５が取り付けられている。また、外枠８２のうちヒンジ片８５と反対側の側辺を構成する長板８３には、その上端寄りと下端寄りの内面の２箇所に、１対の被係止部８６，８６が取り付けられている。なお、外枠８２のうちヒンジ片８５を備えた側の外側面には、図１に示すように、プリペイドカードユニット９９が取り付けられている。
【００１５】
前面枠９０は、例えば、合成樹脂で構成され、外枠８２の前面のうち前面板８４より上方部分に対応した矩形構造をなす。前面枠９０の一方の側辺には、その上下の２箇所に、金属製のヒンジ片９１，９１が備えられ、これら各ヒンジ片９１と前記外枠８２に設けた各ヒンジ片８５とを重ねて、ヒンジピン９２を貫通させてある。これにより、前面枠９０が、外枠８２に対して開閉可能となる。
【００１６】
図３に示すように、前面枠９０には、遊技窓９０Ｗが形成されており、前面枠９０の前面には、ガラス枠９５（図１を参照）が遊技窓９０Ｗに重ねて設けられている。ガラス枠９５は、前面枠９０のうちヒンジ片９１側の側縁部に回動可能に取り付けられており、遊技窓９０Ｗより一回り小さな略円形の窓９５Ｗを備えて、そこにガラス板が張られている。図１に示すように、ガラス枠９５の前面のうち窓９５Ｗの縁部には、前方に膨出した装飾ランプ９６が備えられている。また、前面枠９０のうち窓９５Ｗよりも上側には、左右に１対のスピーカ５９Ｓ，５９Ｓが設けられている。
【００１７】
図１に示すように、前面枠９０のうちガラス枠９５の下方には、パチンコ遊技機１０の前方に向かって膨出した上皿２７Ａが設けられている。また、上皿２７Ａを挟むようにして左右に１対のスピーカ５９Ｓ，５９Ｓが設けられている。
【００１８】
前面枠９０のうち、上皿２７Ａよりも下側には、下皿ユニット５０が取り付けられている。下皿ユニット５０は横長形状をなし、前面枠９０に対して開閉可能に取り付けられている。
【００１９】
下皿ユニット５０の前面中央には、パチンコ遊技機１０の前方に膨出した下皿２７Ｂが備えられている。下皿２７Ｂには、上皿２７Ａから移動した遊技球や、ファール球等が貯留される。また、下皿２７Ｂの左側方には、灰皿５１が設けられている。
【００２０】
図１に示すように、下皿２７Ｂの右側方には、操作ノブ２８が備えられている。この操作ノブ２８を操作することで、上皿２７Ａに収容された遊技球が発射装置７０（図２を参照）によって遊技板１１に形成された遊技領域Ｒ１に向けて弾き出されるようになっている。
【００２１】
図３に示すように、前面枠９０のうちヒンジ片９１と反対側の側辺には、１対の係止爪９７，９７が上下に備えられ、この係止爪９７，９７を外枠８２の被係止部８６，８６に係止して、前面枠９０が閉止状態に施錠される。
【００２２】
前面枠９０の後面には、遊技窓９０Ｗを囲むように囲壁９３が起立している。この囲壁９３の内部に後述する遊技板１１が嵌合され、囲壁９３に備えた複数の係止レバー９８にて遊技板１１が前面枠９０に係脱可能に固定される。以上が枠体８０に関する説明である。
【００２３】
次に、遊技機本体８１について説明する。遊技機本体８１は、図３に示す遊技板１１に種々の部品を組み付けてなる遊技盤側アッシと、同図に示した機構板７５に種々の部品を組み付けてなる機構板側アッシの２つのアッシよりなる。
【００２４】
機構板側アッシについて説明すると、機構板７５は、合成樹脂で構成され、図３及び図４に示すように、全体として遊技板１１より縦方向に長い矩形状をなす。機構板７５は、遊技板１１の後面側に重ねて取り付けられている。機構板７５の中央部には、略矩形の着脱操作窓７７が形成されている。この着脱操作窓７７から、遊技板１１の後面に取り付けられたメイン制御装置５２（図３を参照）及び表示装置１３が遊技板１１の後面側に露出している。そして、後に詳説するが、表示装置１３のうち、液晶モジュール１００を収容したケース体１２０が、この着脱操作窓７７を介して遊技板１１の後面側から着脱可能となっている。なお、着脱操作窓７７の縁部には、図３に示すように、筐体状の透明カバー７６が着脱可能に取り付けられている。
【００２５】
図３に示すように、機構板７５のうち着脱操作窓７７より下方には、払出装置７２を制御する払出制御装置５９と電源装置５８とが横並びにして取り付けられている。また、図２に示すように、電源装置５８の下方には、発射装置７０が取り付けられている。
【００２６】
着脱操作窓７７より上側には、遊技球を貯留する遊技球タンク７５Ｔが設けられ、着脱操作窓７７の側方には遊技球を払い出すための払出装置７２が設けられている。遊技球タンク７５Ｔと払出装置７２との間は、遊技球誘導レール７５Ｒにより連絡されている。
【００２７】
機構板７５のうち、遊技球タンク７５Ｔの側方には、パチンコ遊技機１０の外部から電力を受ける受電装置７３が備えられている。受電装置７３からは図示しない電源コードが延びており、この電源コードが、パチンコホール備えたＡＣ２４Ｖ電源に接続されている。
【００２８】
図３に示すように、機構板７５のうち払出装置７２が配された側の側部には、上下方向に１対のヒンジピン７１，７１が取り付けられ、これらヒンジピン７１，７１が、前面枠９０の一側部に係合し、機構板７５が前面枠９０に対して回動可能に組み付けられる。以上が機構板側アッシの説明である。なお、機構板７５は、本発明の「遊技機構成部品」に相当する。
【００２９】
次に遊技盤側アッシを構成する各部品に関して説明すると、遊技板１１は、図３に示すように、木製の概矩形板材で構成されている。また、図１に示すように、遊技板１１の前面には、ガイドレール１２が取り付けられ、ガイドレール１２の内側に遊技球が流下する遊技領域Ｒ１が設けられている。遊技領域Ｒ１の上部には、図柄を表示する液晶表示盤１０１を備えた表示装置１３が配置され、表示装置１３の下方には、始動入賞口１４、大入賞口１５及びアウト口１６が、上から順に間隔を開けて並べて設けられている。また、遊技領域Ｒ１のうち、表示装置１３の左側方には始動ゲート１８が設けられ、遊技領域Ｒ１の下部には、ガイドレール１２に沿って一般入賞口２０，２１が設けられている。さらに、これら入賞口以外に、遊技領域Ｒ１には、サイドランプ２２，２２や図示しない複数の障害釘が設けられている。
【００３０】
遊技板１１の前面側の各部位の詳細は、以下のようである。
一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球が上皿２７Ａに払い出される。
【００３１】
始動ゲート１８は、遊技球が潜って通過可能な門形構造をなし、通過した遊技球は、その始動ゲート１８に内蔵した普通図柄始動スイッチによって検出される。この検出信号に基づいて、普通図柄表示部１８Ｈにおいて図柄が変動表示される。
【００３２】
具体的には、「０」〜「９」までの数字からなる数字図柄を所定期間に亘って変動表示した後、所定の数字図柄を停止表示する。そして、停止表示された数字図柄が、例えば、奇数の場合に、次述する始動入賞口１４が開放状態となる。なお、普通図柄表示部１８Ｈで表示する図柄は、数字図柄に限るものではなく、アルファベットや記号等でもよい。
【００３３】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が丁度１つ入る大きさになっている。そして、開放条件が成立する（普通図柄表示部１８Ｈが奇数の数字図柄で停止表示する）と始動入賞口１４が開放状態となる。即ち、遊技板１１の裏に設けたソレノイドにより、始動入賞口１４に備えた可動翼片１４Ｃ，１４Ｃが所定期間（例えば、０．４秒）に亘って横に倒される。これにより、遊技球が可動翼片１４Ｃ，１４Ｃに案内されて始動入賞口１４に入り易い状態になる。
【００３４】
始動入賞口１４に遊技球が入賞すると、始動入賞口１４内に設けた始動口センサが遊技球を検出し、その検出信号に基づいて、例えば、４個の遊技球が上皿２７Ａに払い出されると共に、液晶表示盤１０１において図柄が変動表示される。
【００３５】
具体的には、液晶表示盤１０１には、通常、３つの左、中、右の特別図柄が横並びに表示されている。これら各特別図柄は、例えば、「０」〜「１１」の数字を表記した複数種類のもので構成されており、通常は、各特別図柄ごと、所定の種類のものが停止表示されている。そして、始動入賞口１４に遊技球が入賞したときに、これら３つの特別図柄が、上下方向にスクロール表示され、所定時間後に、例えば、左、中、右の順で各特別図柄が停止表示される。このとき、例えば、全ての特別図柄が同じ図柄、即ち、ぞろ目になった場合に、遊技が「大当たり状態」になる。なお、液晶表示盤１０１において特別図柄が変動表示又は「大当たり状態」の最中に始動入賞口１４に入賞した入賞球は、最大で４個まで保留記憶され、特別図柄が停止表示又は「大当たり状態」が終了すると、その保留記憶に基づいて再び、特別図柄が変動表示される。
【００３６】
大入賞口１５は、横長に形成されて、常には、可動扉１５Ｔにて閉塞されている。パチンコ遊技機１０が「大当たり状態」になると、遊技板１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したか、の何れかの条件が先に満たされた場合に終了する。また、「大当たり状態」は、最大で、例えば１５ラウンドまで継続される。
【００３７】
大入賞口１５の内部には、継続入賞口と計数入賞口とが設けられている。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた特定領域センサが遊技球の入賞を検出すると、前述した終了条件を満たしてラウンドが終了した後で、連続して次のラウンドが実行される。また、計数入賞口内に設けたカウントセンサが遊技球の入賞を検出すると、継続入賞口への入賞球と合わせて、大入賞口１５への入賞球がカウントされ、これらが前記したように計１０個に達したか否かがチェックされる。なお、大入賞口１５に遊技球が入賞すると、例えば、１５個の遊技球が上皿２７Ａに払い出される。
【００３８】
表示装置１３は、遊技板１１に取り付けられた表示枠体３０（図５を参照）の後側に、液晶モジュール１００（図８を参照）を備えてなる。そして、表示枠体３０で囲まれた表示窓３０Ｗを介して液晶モジュール１００に備えた液晶表示盤１０１が遊技板１１の前面側から視認可能となっている。
【００３９】
また、表示枠体３０の下辺部には、上側ステージ３１Ｊと、上側ステージ３１Ｊよりも前側でかつ段付き状に低くなった下側ステージ３１Ｓとが設けられている。表示枠体３０の内側に転入した遊技球は、これら上側ステージ３１Ｊ及び下側ステージ３１Ｓを転動した後で、表示枠体３０の前端縁から表示装置１３の下方へ流下される。
【００４０】
以下、表示枠体３０について詳説する。表示枠体３０は、図６に示すように、遊技板１１に貫通形成された遊技板開口部１１Ｋ（本発明の「開口部」に相当する）に対し、遊技板１１の前面に取り付けた前側表示枠３２と、遊技板１１の後面に取り付けた後側表示枠３３とからなる。
【００４１】
前側表示枠３２は、後端縁を遊技板開口部１１Ｋの内側に嵌合しかつ、前後方向の中間部分から側方に張り出した敷設板３２Ｆを遊技板１１の前面に敷設して螺子止めされている。前側表示枠３２の上辺は遊技板１１の前面側に張り出しており、表示装置１３の上方から流下した遊技球が、表示枠体３０の内側に進入しないようになっている。
【００４２】
前側表示枠３２の上辺中央には、普通図柄表示部１８Ｈとしての７セグメントＬＥＤが内蔵され、その周辺部には、複数の装飾用ＬＥＤが内蔵されている。これらＬＥＤの光は、例えば、透光性の合成樹脂で構成された前側表示枠３２を透過してパチンコ遊技機１０の前面側に照射される。
【００４３】
前側表示枠３２の一方の側辺の内部には、前側表示枠３２の側方に開放し、遊技板１１上を流下する遊技球を表示枠体３０の内側に誘導するワープ路３４が形成されている。ワープ路３４を通過した遊技球は、前側表示枠３２の下辺に設けられた下側ステージ３１Ｓの左端部に案内されるようになっている。
【００４４】
下側ステージ３１Ｓは、前側表示枠３２の左右両側辺を繋ぐように延び、左右の両端部から中央部に向かって下るように傾斜している。また、下側ステージ３１Ｓの中央部は、前方に向かって下るように緩やかに傾斜した緩斜面３１Ｋとなっている。遊技球は、下側ステージ３１Ｓ上を左右に遊転した後で下側ステージ３１Ｓの前端部から表示装置１３の下方に流下する。
【００４５】
次に、後側表示枠３３について説明する。後側表示枠３３は、例えば合成樹脂で構成され、図７に示すように全体として横長の枠形構造をなしている。後側表示枠３３の前面側の縁部からは敷設板３３Ｆが側方に張り出しており、この敷設板３３Ｆを遊技板１１の後面に敷設して螺子止めされている。そして、後表示枠３３のほぼ中央部に設けられた横長矩形の表示盤対向窓３６が遊技板開口部１１Ｋに前後方向（遊技板１１の板厚方向）で整合している（図６を参照）。
【００４６】
図７に示すように、後側表示枠３３の下辺は上側ステージ３１Ｊとなっている。上側ステージ３１Ｊは、前方に緩やかに下った平坦面で構成されている。後側表示枠３３の下辺からは長板状の庇部３８が前面側に張り出しており、この庇部３８が下側ステージ３１Ｓの上方を覆っている（図５を参照）。庇部３８の上面は、左右の両端部から中央部に向かって下るように傾斜しかつ中央部が緩やかに盛り上がっている。そして、上側ステージ３１Ｊに転入した遊技球は、庇部３８に向かって転がり、庇部３８の前端縁から表示装置１３の下方へ流下するようになっている。
【００４７】
後側表示枠３３の下辺と上辺には、複数のＬＥＤ（図示せず）が内蔵されている。これらＬＥＤの光は、例えば、透光性の合成樹脂で構成された後側表示枠３３を透過して表示枠体３０の内側や、パチンコ遊技機１０の前面側に照射されるようになっている。
【００４８】
後側表示枠３３のうち、表示盤対向窓３６を挟んでワープ路３４と反対側の側部には、図示しない可動役物が備えられており、遊技状況に応じて可動役物が表示枠体３０の内側で動作するようになっている。例えば、可動役物は、動作時には表示盤対向窓３６の側方から液晶表示盤１０１の前面に重なるように移動し、停止時には液晶表示盤１０１の前面側から退避している。可動役物は、例えば、モータＭ（本発明の「駆動源」に相当する）によって駆動される。そして、後側表示枠３３の一側部には、後方に膨出した膨出部３３Ａが形成され、その内側にモータＭを収納したモータ収納部３９が形成されている。
【００４９】
表示盤対向窓３６は、後側表示枠３３の後面に取り付けられた透明な樹脂板３７で塞がれている。後側表示枠３３の後面には、表示盤対向窓３６を囲むように防塵壁３６Ｈが形成されている。そして、表示盤対向窓３６に液晶表示盤１０１の前面が対向配置され、液晶表示盤１０１の前面の周縁部が防塵壁３６Ｈに突き当てられている。これにより、樹脂板３７と液晶表示盤１０１の前面との隙間に埃が侵入することが防止されている。なお、後側表示枠３３は、本発明の「ベース体」に相当する。
【００５０】
次に、表示枠体３０の後面側に備えた液晶モジュール１００について説明する。液晶モジュール１００は、図８に示すように、液晶表示盤１０１と表示制御基板１０２を金属製の板金ブラケット１１０によって一体に固定してなる。
【００５１】
液晶表示盤１０１は、図９に示すように横長の矩形板状をなし、後側表示枠３３側を向いた前面が画像を表示する表示画面１０１Ｇとなっている。また、液晶表示盤１０１の後面と周縁部は、金属製の板金カバー１０１Ｋで覆われている。そして、液晶表示盤１０１は、図１０に示すように、後面を板金ブラケット１１０の前面に面接触させた状態で螺子止めされている。
【００５２】
表示制御基板１０２は、複数の基板１０２ａ〜１０２ｄから構成され、これら複数の基板が互いに電気的に接続されている。詳細には、図９に示すように、横長の主基板１０２ａの両側に、縦長の第１サブ基板１０２ｂ及び第２サブ基板１０２ｃが備えられ、主基板１０２ａの後方に重なるようにして、主基板１０２ａよりも小さい横長の第３サブ基板１０２ｄが備えられている。
【００５３】
図９に示すように、板金ブラケット１１０には、表示制御基板１０２を固定するための複数（例えば、４つ）の基板固定脚部１１３が備えられている。なお、図９には、複数の基板固定脚部１１３のうちの２つのみが示されている。
【００５４】
図１０に示すように、基板固定脚部１１３は、板金ブラケット１１０から後側に起立した板金片の後端部を直角曲げした構造をなす。そして、表示制御基板１０２は、基板固定脚部１１３の後端片１１３Ｋに突き当てられて螺子止めされている。即ち、表示制御基板１０２は板金ブラケット１１０の後面から浮いた状態に固定されている（図６を参照）。
【００５５】
ここで、液晶表示盤１０１が板金ブラケット１１０に面接触したことで、液晶表示盤１０１から発する熱が放熱し易くなっている。また、表示制御基板１０２が板金ブラケット１１０の後面から浮いていることで、液晶表示盤１０１からの熱が表示制御基板１０２に伝わり難くなっている。
【００５６】
図９に示すように、板金ブラケット１１０の上辺には、１対の起立係止片１１６，１１６が形成されている。起立係止片１１６，１１６は、図８に示すように、液晶表示盤１０１の上辺よりも上方に張り出している。また、板金ブラケット１１０の下辺には、係止凹部１１５が形成されている。係止凹部１１５は、例えば、板金ブラケット１１０を矩形状に切り欠いた構造をなし、図１１に示すように、板金ブラケット１１０の液晶表示盤１０１から側方にはみ出た部分に設けられている。以上が、液晶モジュール１００の説明である。なお、液晶モジュール１００は、本発明の「電気部品」に相当する。
【００５７】
ところで、上述した液晶モジュール１００は、遊技板１１の後面側において後側表示枠３３に取り付けられた以下に説明するケース体１２０に収容されている。ケース体１２０は、例えば、透明な樹脂（より詳細には、ＡＢＳ樹脂）で構成され、遊技板１１側（前面側）に開口した横長の箱形状をなす。ケース体１２０は、液晶モジュール１００の後面と側面とを覆いかつ、前面開口部１２３から液晶モジュール１００の前面側に備えた液晶表示盤１０１を露出させている。ケース体１２０の前面開口部１２３は、後側表示枠３３の表示盤対向窓３６及び遊技板１１の遊技板開口部１１Ｋに前後方向で整合しており、これら、表示盤対向窓３６及び遊技板開口部１１Ｋを介して前面開口部１２３から液晶表示盤１０１が視認可能となっている。また、ケース体１２０を透明な樹脂で構成したことで、内部に収容された液晶モジュール１００がケース体１２０の外から視認可能となり、液晶モジュール１００の不具合（例えば、ケース体１２０に液晶モジュール１００を収容する際に配線が挟まる等）を視認して組み付け不良を未然に防止することができる。また、液晶モジュール１００の配線不良や組み付け不良を発見し易くなる。
【００５８】
図７に示すように、ケース体１２０の後壁１２１には、液晶モジュール１００とケース体１２０の外部の他の電気部品（例えば、電源装置５８等）とを配線で接続するための配線接続孔１２２が形成されている。また、ケース体１２０の全体に亘って、液晶モジュール１００から発する熱をケース体１２０の外部に放熱するための放熱孔が形成されている。さらに、図８に示すように、ケース体１２０の内側には複数の補強リブ１２５が形成されている。
【００５９】
図７に示すように、ケース体１２０の上壁１２４Ｊには、１対の係止スリット１２７，１２７が形成されている。係止スリット１２７，１２７は、ケース体１２０の長手方向に延びた細長孔形状をなす。そして、液晶モジュール１００の上辺から張り出した１対の起立係止片１１６，１１６が、ケース体１２０の内側から係止スリット１２７，１２７に突入係止されている（図１１を参照）。
【００６０】
図８に示すように、ケース体１２０の上壁１２４Ｊの内面には、係止片案内部が設けられている。係止片案内部は、係止スリット１２７の長手方向における両端部からケース体１２０の前面開口部１２３に向かって平行に延びた１対の突条１２８，１２８で構成されている。そして、液晶モジュール１００をケース体１２０に収容させる過程で、起立係止片１１６，１１６がこれら突条１２８，１２８の間をスライドして係止スリット１２７，１２７に案内されるようになっている。
【００６１】
図１１の（Ａ）に示すように、ケース体１２０の内側には係止爪１２９が形成されている。同図の（Ｂ）に示すように、係止爪１２９は、後壁１２１から前面開口部１２３に向かって起立している。係止爪１２９は、帯板部材の先端部に、断面矢尻形状の係止突部１２９Ｔを備えた構造をなしている。そして、液晶モジュール１００が収容される過程で、係止爪１２９は板金ブラケット１１０の下辺に摺接して外側に弾性変形し、板金ブラケット１１０が係止爪１２９の係止突部１２９Ｔを通過すると、係止爪１２９は元の形状に復元して係止突部１２９Ｔが板金ブラケット１１０の係止凹部１１５に係止する。
【００６２】
このように、液晶モジュール１００に備えた起立係止片１１６，１１６と係止凹部１１５とが、ケース体１２０に備えた係止スリット１２７，１２７と係止爪１２９とにそれぞれ係止することで、液晶モジュール１００がケース体１２０に一体に取り付けられている。
【００６３】
なお、係止爪１２９は、後壁１２１と繋がった補強リブ１２９Ｒによって補強されている。また、図８に示すように、ケース体１２０の内側には、後壁１２１から前面開口部１２３に向かって起立した位置決め突起部１３０が形成され、液晶モジュール１００がケース体１２０に収容されると、位置決め突起部１３０が板金ブラケット１１０に形成された図示しない位置決め孔と凹凸嵌合するように構成されている。
【００６４】
さて、上記ケース体１２０は、ケース体１２０と後側表示枠３３とに備えた以下に説明する取り付け構造により、遊技板１１の後面側に取り付けられている。即ち、後側表示枠３３の後面には、１対の嵌合ボス部１５０，１５０が設けられている。嵌合ボス部１５０，１５０は、後側表示枠３３を後面側から見たときの（図１３における）表示盤対向窓３６の左側方に上下に並んで設けられている。嵌合ボス部１５０は、後側表示枠３３のうち、モータ収納部３９を内側に備えた膨出部３３Ａの後面から起立して、中心部に螺子孔１５０Ｎが形成された略円筒形状をなす。また、嵌合ボス部１５０は、後端部に向かって先細りとなっている。そして、図１５〜１８に示すように、遊技板１１の後面側に機構板７５が取り付けられると、これら嵌合ボス部１５０，１５０は着脱操作窓７７の内側に配置され、ケース体１２０を取り外した状態でパチンコ遊技機１０の後面側に露出するようになっている。
【００６５】
これに対し、ケース体１２０には１対のボス受容部１５１，１５１が設けられている。ボス受容部１５１，１５１は、ケース体１２０の水平方向の側方を向いた一側面、具体的には、ケース体１２０を後面側から見たときの（図４における）左側面１２４Ｌに上下に並んで設けられている。ボス受容部１５１は、ケース体１２０の左側面１２４Ｌから側方に張り出しかつ、後側表示枠３３側に開放した袋構造をなしている（図１２を参照）。
【００６６】
図１２に示すように、ボス受容部１５１の後端壁１５１Ｋには、螺子挿通孔１５３がケース体１２０の前後方向に貫通形成されている。また、ボス受容部１５１の内側空間には突壁１５２が形成されている。そして、嵌合ボス部１５０とボス受容部１５１とが凹凸嵌合した状態で、螺子挿通孔１５３に挿入した雄螺子１４０を嵌合ボス部１５０の螺子孔１５０Ｎに螺合することで、ケース体１２０の左側面１２４Ｌ側が後側表示枠３３に固定されている（図１５を参照）。ここで、嵌合ボス部１５０，１５０と雄螺子１４０とで本発明の「露出係止部」が構成され、ボス受容部１５１，１５１は本発明の「ケース体サブ係止部」に相当する。なお、突壁１５２によって、嵌合ボス部１５０とボス受容部１５１とが凹凸嵌合したときに、螺子挿通孔１５３と螺子孔１５０Ｎとが連通するように位置決めされる。
【００６７】
図１１の（Ａ）に示すように、ケース体１２０のうち、ボス受容部１５１とは反対側の側面（以下、「右側面１２４Ｒ」という）には、上下に１対の係止フック１６０，１６０（本発明の「ケース体メイン係止部」に相当する）が設けられている。図８及び図１２に示すように、係止フック１６０，１６０は、ケース体１２０の前面開口部１２３から後側表示枠３３側に延びた長板状の脚部１６０Ｋと、その脚部１６０Ｋの先端から側方に張り出した板状のケース体突部１６０Ｔとから構成される。また、これら係止フック１６０，１６０の縁部には、補強リブ１６０Ｒが形成されている。
【００６８】
これに対し、後側表示枠３３のうち、表示盤対向窓３６を挟んで嵌合ボス部１５０と反対側の側部には、係止ボックス１６１が備えられている（図７を参照）。係止ボックス１６１は、敷設板３３Ｆから起立して上下方向で対向した１対の挟持対向壁１６２，１６２を備え、それら挟持対向壁１６２，１６２の後端部同士の間に後面係止壁１６３を差し渡して水平方向に開口した門型構造部を構成し、その門型部分のうち、外側を向いた（換言すれば、ケース体１２０とは反対側の）開口を奥壁１６４で塞いだ構造をなす。そして、図４及び図１５〜１８に示すように、遊技板１１の後面側に機構板７５が取り付けられると、これら係止ボックス１６１，１６１は、着脱操作窓７７の外側に配置され、機構板７５によって後面側が覆われるようになっている。
【００６９】
そして、係止ボックス１６１の内側を向いた（換言すれば、ケース体１２０側に開口した）突部挿入開口１６５（図１４を参照）から係止フック１６０のケース体突部１６０Ｔが挿入され、そのケース体突部１６０Ｔの後面（ケース体１２０の後面側）が係止ボックス１６１の後面係止壁１６３に係止することで、ケース体１２０の右側面１２４Ｒ側が後側表示枠３３に固定されている（図１５を参照）。ここで、係止フック１６０と係止ボックス１６１とが係止すると、ケース体突部１６０Ｔの周囲が、挟持対向壁１６２，１６２と後面係止壁１６３と奥壁１６４とによって囲まれるので、ケース体突部１６０Ｔを保護することができる。
【００７０】
つまり、ケース体１２０の右側面１２４Ｒに配置された係止フック１６０を後側表示枠３３の係止ボックス１６１に係止しかつ、ケース体１２０の左側面１２４Ｌに配置されたボス受容部１５１を後側表示枠３３の嵌合ボス部１５０と凹凸嵌合して雄螺子１４０により螺子止めすることで、ケース体１２０が遊技板１１の後面側に取り付けられている。
【００７１】
ここで、図１３に示すように、係止ボックス１６１の突部挿入開口１６５側には、ケース体１２０を後側表示枠３３に取り付ける過程で、係止フック１６０のケース体突部１６０Ｔを突部挿入開口１６５から係止ボックス１６１の挟持対向壁１６２，１６２の間に案内するためのガイドボックス１６６，１６６が備えられている。図１４に示すように、ガイドボックス１６６は、係止ボックス１６１の突部挿入開口１６５と連通すると共に、後面側（図１４における下側）に開放したボックス開口１６７を備えている。
【００７２】
より詳細には、ガイドボックス１６６は、係止ボックス１６１の挟持対向壁１６２，１６２からケース体１２０側に延設された１対のガイド対向壁１６６Ｔ，１６６Ｔと、それらガイド対向壁１６６Ｔ，１６６Ｔの係止ボックス１６１から離れた側の端部に差し渡されて、ガイド対向壁１６６Ｔ，１６６Ｔを補強した補強ガイド壁１６６Ｈとから構成される。これらガイド対向壁１６６Ｔ，１６６Ｔび補強ガイド壁１６６Ｈは、図１４に示すように、後面係止壁１６３よりも後方に突出している。また、ボックス開口１６７は、補強ガイド壁１６６Ｈとガイド対向壁１６６Ｔ，１６６Ｔと後面係止壁１６３とに囲まれて形成されている。そして、図１５〜１８に示すように、遊技板１１の後面側に機構板７５が取り付けられると、これらガイドボックス１６６，１６６は着脱操作窓７７の内側に配置され、ケース体１２０を取り外した状態でボックス開口１６７がパチンコ遊技機１０の後面側に露出するようになっている（図１８を参照）。なお、係止ボックス１６１とガイドボックス１６６とで、本発明の「ボックス形係止部」が構成されている。
【００７３】
なお、図示しないが、ケース体１２０の側面と後側表示枠３３の後面とに跨って封止シールが貼られている。封止シールは、剥がすと貼付面に剥がしたことを示す印が残るようになっており、これにより、ケース体１２０が後側表示枠３３から取り外されたことが確認し易くなっている。
【００７４】
次に、上記構成からなる本実施形態の作用・効果を説明する。
本実施形態のパチンコ遊技機１０は、遊技場に備えた遊技島に、枠体８０を固定することで遊技場に設置される。そして、そのパチンコ遊技機１０に、例えばトラブルが生じた場合に、前面枠９０が開かれる。すると、前面枠９０に回動可能に組み付けられた遊技機本体８１が、前面枠９０と共に遊技島の前方に引き出され、遊技機本体８１の後面側、即ち、機構板７５を操作可能になる。
【００７５】
なお、前面枠９０を開くには、鍵をパチンコ遊技機１０の前面の一側部に設けられた解錠装置２００（図１を参照）に挿入して、時計回り方向に回せばよい。また、開いた前面枠９０を閉じて施錠するには、前面枠９０を外枠８２に押し付ければよい。
【００７６】
さて、例えば、表示装置１３の液晶モジュール１００が故障した場合には、パチンコ遊技機１０のその他の部分は流用したまま、液晶モジュール１００のみを新規のものに交換する。具体的には、以下の作業が行われる。
【００７７】
まず、前面枠９０を開いて、機構板７５の後面側を露出させる。次に、機構板７５の着脱操作窓７７を覆った透明カバー７６を取り外す。すると、液晶モジュール１００を収容したケース体１２０が着脱操作窓７７からパチンコ遊技機１０の後面側に露出される（図１５の状態）。
【００７８】
ケース体１２０を取り外すには、まず、ケース体１２０の左側面１２４Ｌと後側表示枠３３とを固定した雄螺子１４０を、機構板７５の後面側から工具を用いて取り外す。雄螺子１４０を取り外すと、ケース体１２０を後側表示枠３３（遊技板１１）に対して動かすことが可能となるが、後側表示枠３３の嵌合ボス部１５０，１５０とケース体１２０のボス受容部１５１，１５１は互いに凹凸嵌合したままなので、雄螺子１４０を取り外したことで、ケース体１２０が前後方向（図１５における上下方向）と直交する方向にがたついたり、自重によって落下することが防止できる。
【００７９】
次いで、ケース体１２０を手で持ち、着脱操作窓７７の内側でケース体１２０を回動操作する。具体的には、ケース体１２０の右側面１２４Ｒ側を中心としてボス受容部１５１を嵌合ボス部１５０から引き離すように回動操作する（図１６の状態）。すると、ケース体１２０の右側面１２４Ｒに配置された係止フック１６０が、係止ボックス１６１の内側空間（挟持対向壁１６２，１６２の間）で回動し、係止フック１６０のケース体突部１６０Ｔと係止ボックス１６１の後面係止壁１６３とが離間して係止が解除される。さらに、ケース体１２０の左側面１２４Ｌが後側表示枠３３から離れるに従って、ケース体突部１６０Ｔは徐々に突部挿入開口１６５から引き抜かれる。そして、図１７に示すように、ケース体突部１６０Ｔが完全に突部挿入開口１６５から引き抜かれたら、ケース体１２０の全体をそのままの姿勢で後側表示枠３３の後方へ移動させ、ケース体突部１６０Ｔをボックス開口１６７から引き抜く。これにより、機構板７５を遊技板１１の後面側に取り付けたままで、ケース体１２０が遊技板１１の後面側から取り外される（図１８の状態）。
【００８０】
ケース体１２０を取り外したら、故障した液晶モジュール１００をケース体１２０の前面開口部１２３から取り出し、代わりに新規な液晶モジュール１００をケース体の前面開口部１２３から挿入してケース体１２０に収容及び固定させる。そして、このケース体１２０を、再び、後側表示枠３３に取り付ける。
【００８１】
ケース体１２０を遊技板１１の後面側に取り付ける場合には、取り外す場合と逆の操作をする。即ち、ケース体１２０を遊技板１１に対して傾いた姿勢とし、右側面１２４Ｒ側から着脱操作窓７７の内側に挿入して（図１８を参照）、係止フック１６０，１６０のケース体突部１６０Ｔをガイドボックス１６６，１６６のボックス開口１６７から挿入する。この状態で遊技板１１側へ近づけると、係止フック１６０のケース体突部１６０Ｔがガイドボックス１６６のガイド対向壁１６６Ｔ，１６６Ｔに案内されて、係止ボックス１６１の突部挿入開口１６５に臨んだ位置に案内される（図１７の状態）。
【００８２】
次いで、ケース体１２０の右側面１２４Ｒ側を中心として、ケース体１２０の左側面１２４Ｌを後側表示枠３３に近づけるように回動操作する。すると、係止フック１６０のケース体突部１６０Ｔが突部挿入開口１６５から挟持対向壁１６２，１６２の間に進入する（図１６の状態）。ケース体１２０の左側面１２４Ｌ側が後側表示枠３３に近づくに従って、ケース体突部１６０Ｔが係止ボックス１６１の後面係止壁１６３に近づき、ケース体１２０の左側面１２４Ｌに備えたボス受容部１５１，１５１が後側表示枠３３の嵌合ボス部１５０，１５０に嵌合すると、ケース体突部１６０Ｔの後面が後面係止壁１６３に係止して、ケース体１２０の右側面１２４Ｒ側が後側表示枠３３に固定される（図１５の状態）。最後に、ボス受容部１５１を後方から貫通した雄螺子１４０を嵌合ボス部１５０に螺合させると、ケース体１２０の左側面１２４Ｌ側が後側表示枠３３に固定される。即ち、遊技板１１の後面側に機構板７５を取り付けたままで、ケース体１２０を遊技板１１の後面側に取り付けることができる。ここで、ケース体１２０を後側表示枠３３の後面に重ねた状態では、嵌合ボス部１５０がボス受容部１５１と前後方向で凹凸嵌合し、前後方向と直交した方向へのケース体１２０の移動が規制される。よって、ケース体１２０を後面側から見たときの（図４における）左方向にケース体１２０を移動させることが不可能となり、ケース体突部１６０Ｔの全体がボックス開口１６７から後方に露出するようにケース体１２０を後側表示枠３３の後面上でずらして、ケース体突部１６０Ｔと後面係止壁１６３との係止を解除することが不可能となる。」
【００８３】
なお、液晶モジュール１００の交換に限らず、メンテナンス作業の場合（例えば、ケース体１２０内の埃を除去する等）にも、上記手順によってケース体１２０を遊技板１１の後面側から着脱すればよい。
【００８４】
このように、本実施形態のパチンコ遊技機１０によれば、ケース体１２０を遊技板１１の後面に対して回動操作する過程で、機構板７５によって覆われた係止ボックス１６１とケース体１２０の係止フック１６０との係止及び係止解除が行われ、機構板７５を遊技板１１の後面側に取り付けたままでケース体１２０を遊技板１１に対して着脱できる。これにより、遊技板１１の後面の機構板７５で覆われた領域をケース体１２０を配置するスペースとして有効利用することができ、例えば、液晶モジュール１００の大型化に応じてケース体１２０を大型化しつつ、ケース体１２０の着脱作業性の向上を図ることができる。
【００８５】
また、ケース体突部１６０Ｔを挟持対向壁１６２，１６２の間へ案内するガイドボックス１６６を備えたことにより、ケース体１２０を遊技板１１の後面側に取り付ける際に、係止フック１６０を容易かつ確実に係止ボックス１６１に係止させることができる。
【００８６】
さらに、ガイドボックス１６６を構成する１対のガイド対向壁１６６Ｔ，１６６Ｔ及び補強ガイド壁１６６Ｈは、係止ボックス１６１の後面係止壁１６３より後方に突出しているので、係止フック１６０，１６０を着脱操作窓７７の内側に挿入後、比較的早い段階でケース体突部１６０Ｔの挟持対向壁１６２，１６２の間への案内を開始することができ、ケース体１２０の取り付け作業性がより向上する。
【００８７】
しかも、液晶モジュール１００はケース体１２０に取り付けられているので、ケース体１２０と一緒に遊技板１１に対して着脱でき、液晶モジュール１００の着脱の作業性が向上する。
【００８８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記一実施形態では、パチンコ遊技機１０に本発明を適用していたが、遊技機であれば、コイン遊技機やスロットマシン等に適用してもよい。
【００８９】
（２）前記一実施形態では、ケース体突部１６０Ｔの後面が後面係止壁１６３に係止することで、ケース体１２０と係止ボックス１６１とが係止されていたが、例えば、図１９に示すように、後面係止壁１６３の内面に、先端部が膨出した係止突部３００を設けておき、ケース体突部１６０Ｔが後面係止壁１６３側に所定値以上の力で押し付けられた場合に、ケース体突部１６０Ｔに形成された係止孔３０１に係止突部３００が圧入されて係止する（図１９の（Ｂ）の状態）一方、ケース体突部１６０Ｔが所定値以上の力で後面係止壁１６３から離れる方向に引っ張られた場合に、係止突部３００が係止孔３０１から抜けて係止が解除される（図１９の（Ａ）の状態）ような圧入係止構造を構成していてもよい。  
【００９０】
また、ケース体突部１６０Ｔの後面と後面係止壁１６３の内面とにそれぞれ面ファスナー或いは磁石を設けておき、面ファスナー同士の係着或いは磁力によって係止フック１６０と係止ボックス１６１とが係止するようにしてもよい。
【００９１】
（３）前記一実施形態では、係止ボックス１６１とガイドボックス１６６とを後側表示枠３３に設けていたが、これらを遊技板１１の後面に設けてもよいし、係止ボックス１６１を遊技板１１の後面に設けガイドボックス１６６を後側表示枠３３に設けてもよい。
【００９２】
（４）前記一実施形態では、ケース体１２０には、液晶モジュール１００が収容されていたが、他の電気部品（例えば、回路基板やモータ等）を収容してもよい。
【００９３】
（５）前記一実施形態では、嵌合ボス部１５０とボス受容部１５１とを雄螺子１４０によって後側表示枠３３に固定していたが、ピンやナイラッチで固定してもよい。また、回動操作によりケース体１２０の後面の一部に重なった係止位置とケース体１２０の後面側から退避した非係止位置との間で変位する係止レバーによって、ケース体１２０の着脱操作窓７７から露出した部分を遊技板１１の後面側に固定するようにしてもよい。
【図面の簡単な説明】
【００９４】
【図１】本発明の一実施形態に係るパチンコ遊技機の正面図
【図２】パチンコ遊技機の背面図
【図３】パチンコ遊技機の分解斜視図
【図４】ケース体を取り付けた状態の遊技板の背面図
【図５】表示枠体の斜視図
【図６】表示装置の側断面図
【図７】後表示枠及びケース体の斜視図
【図８】ケース体及び液晶モジュールの斜視図
【図９】液晶モジュールの分解斜視図
【図１０】液晶モジュールの部分断面図
【図１１】（Ａ）液晶モジュールを収容したケース体の正面図（Ｂ）ケース体の部分断面図
【図１２】ケース体の断面図
【図１３】後表示枠の背面図
【図１４】後表示枠の断面図
【図１５】遊技板の後面側の断面図
【図１６】遊技板の後面側の断面図
【図１７】遊技板の後面側の断面図
【図１８】遊技板の後面側の断面図
【図１９】他の実施形態（２）に係る係止フックと係止ボックスの断面図
【図２０】従来の遊技機の背面図
【符号の説明】
【００９５】
１０    パチンコ遊技機
１１Ｋ    遊技板開口部（開口部）
１３    表示装置
３３    後表示枠（ベース体）
３３Ａ    膨出部
３９    モータ収納部
７５    機構板（遊技機構成部品）
７７    着脱操作窓
１００    液晶モジュール（電気部品）
１０１    液晶表示盤
１０２    表示制御基板
１１０    板金ブラケット
１２０    ケース体
１２３    前面開口部
１４０    雄螺子
１５０    嵌合ボス部（露出係止部）
１５１    ボス受容部（ケース体サブ係止部）
１６０    係止フック（ケース体メイン係止部）
１６０Ｋ    脚部
１６０Ｔ    ケース体突部
１６１    係止ボックス
１６２    挟持対向壁
１６３    後面係止壁
１６４    奥壁
１６５    突部挿入開口
１６６Ｈ    補強ガイド壁
１６６Ｔ    ガイド対向壁
１６７    ボックス開口
Ｍ    モータ（駆動源）
Ｒ１    遊技領域
【図１】
2008100104.tif 000003
【図２】
2008100104.tif 000004
【図３】
2008100104.tif 000005
【図４】
2008100104.tif 000006
【図５】
2008100104.tif 000007
【図６】
2008100104.tif 000008
【図７】
2008100104.tif 000009
【図８】
2008100104.tif 000010
【図９】
2008100104.tif 000011
【図１０】
2008100104.tif 000012
【図１１】
2008100104.tif 000013
【図１２】
2008100104.tif 000014
【図１３】
2008100104.tif 000015
【図１４】
2008100104.tif 000016
【図１５】
2008100104.tif 000017
【図１６】
2008100104.tif 000018
【図１７】
2008100104.tif 000019
【図１８】
2008100104.tif 000020
【図１９】
2008100104.tif 000021
【図２０】
2008100104.tif 000022